(57)【特許請求の範囲】
【請求項１】
給水部によって供給された水を加温する水加温部と、該水加温部で加温された水をミスト噴霧する噴霧部と、前記給水部よりも下流側であって前記噴霧部までの流路中において人体用の洗剤を前記水に対して混合する混合部とを備えたことを特徴とするミストサウナ装置。
【請求項２】
前記水加温部と前記噴霧部との間には、前記噴霧部に対する給水タイミングを調整する給水弁を有し、前記混合部は、前記給水弁と前記噴霧部との間に設けられることを特徴とする請求項１に記載のミストサウナ装置。
【発明の詳細な説明】
【技術分野】
【０００１】
本発明は、ミストサウナ装置に関する。
【背景技術】
【０００２】
浴室の天井面等に設置されるミストサウナ装置では、例えば給水部によって給水される水又は温水を加温部にて加温し、加温した水をノズル部からミスト噴霧される（例えば、特許文献１参照）。このようなミストサウナ装置では、ミスト噴霧されることで、使用者はミスト浴を行うことが可能となっている。
【先行技術文献】
【特許文献】
【０００３】
【特許文献１】特開２０１２−１０５８４７号公報
【発明の概要】
【発明が解決しようとする課題】
【０００４】
ところで、上記のようなミストサウナ装置では、加温された水をミスト噴霧することでミスト浴が可能となっており、人体の洗浄効果は低く、洗浄効果を高めることが望まれている。
【０００５】
本発明は、上記課題を解決するためになされたものであって、その目的は、洗浄効果を高めることができるミストサウナ装置を提供することにある。
【課題を解決するための手段】
【０００６】
上記課題を解決するために、ミストサウナ装置は、給水部によって供給された水を加温する加温部と、該加温部で加温された水をミスト噴霧する噴霧部と、前記給水部よりも下流側であって前記噴霧部までの流路中において人体用の洗剤を前記水に対して混合する混合部とを備える。
【発明の効果】
【０００７】
本発明のミストサウナ装置によれば、洗浄効果を高めることができる。
【図面の簡単な説明】
【０００８】
【図１】一実施形態におけるミストサウナ装置の概略構成図である。
【発明を実施するための形態】
【０００９】
以下、ミストサウナ装置の一実施形態を図面に従って説明する。
【００１０】
図１に示すように、ミストサウナ装置１０は、例えば浴室の天井や壁などに設けられてミストを浴室内に供給するものである。
【００１１】
ミストサウナ装置１０には、本体ケース１１内に、フィルタ１２と、加温ユニット１３と、給水弁１４と、ノズル部１５とを有する。
【００１２】
フィルタ１２は、給水部１から供給される水（市水）に含まれる異物を取り除くものである。加温ユニット１３は、温水器２から供給される温水を利用してフィルタ１２を通過した水と熱交換を行ってフィルタ１２からの水を温めるものである。
【００１３】
加温ユニット１３の下流側の流路Ｃ１には給水弁１４が設けられる。給水弁１４の更に下流側の流路Ｃ２にはノズル部１５が設けられる。ノズル部１５は、加温ユニット１３によって上流側から供給される温められた約７０度の温水をミスト噴霧するものである。ミスト噴霧の温度は約４０度程度である。給水弁１４は、例えば制御部１８によって開放されるタイミング等が調整されることでノズル部１５から外部に噴霧されるミストの噴霧量や噴霧のタイミングが調整可能とされる。
【００１４】
また、本実施形態のミストサウナ装置１０には、本体ケース１１に対して着脱可能なカートリッジ１６が設けられる。カートリッジ１６内には、例えば人体用の液体状の洗剤が貯留されている。
【００１５】
カートリッジ１６は、本体ケース１１内に収容されるポンプ１７によって内部の洗剤が吸い上げられるようになっている。ポンプ１７によって吸い上げられた洗剤は、流路Ｃ３内を通って流路Ｃ２内の温められた温水と合流（混合）される。即ち、流路Ｃ３と流路Ｃ２とが合流する合流地点が混合部Ｐ１として機能する。
【００１６】
加温ユニット１３と、給水弁１４と、ポンプ１７は、制御部１８と接続されて制御部１８によって加温ユニット１３と、給水弁１４と、ポンプ１７とは種々の制御が実施されるようになっている。制御部１８は、使用者が操作可能な操作器２０と接続されている。操作器２０は、制御部１８に対して操作信号を出力し、制御部１８ではその操作信号に基づいて種々の制御を行うようになっている。
【００１７】
上記のように構成されたミストサウナ装置１０の作用を説明する。
【００１８】
本実施形態のミストサウナ装置１０では、例えば使用者によって操作器２０の洗浄スイッチ（図示略）が操作されると、操作器２０から制御部１８に対してその旨の操作信号を出力する。すると、制御部１８では、加温ユニット１３を駆動させて温水器２から供給される温水を利用してフィルタ１２を通過した水と熱交換を行ってフィルタ１２からの水を温める。そして、制御部１８は、給水弁１４を制御して適宜開放させて流路Ｃ２側に温められた水を供給する。また、このとき、制御部１８は、ポンプ１７を駆動させてカートリッジ１６内の洗剤を吸い上げて、流路Ｃ３を介して混合部Ｐ１において流路Ｃ２内の温められた温水と混合させる。そして、洗剤が混合された温水は、ノズル部１５からミスト噴霧されるようになっている。
【００１９】
次に、本実施形態の効果を記載する。
【００２０】
（１）給水部１よりも下流側であってノズル部１５までの流路中において人体用の洗剤を温水に対して混合する混合部Ｐ１を備える。このため、ミストに洗剤を混合させて噴霧することができるため、人体を洗浄する際の洗浄効果を高めることができる。
【００２１】
（２）加温ユニット１３とノズル部１５との間には、ノズル部１５に対する給水タイミングを調整する給水弁１４を有し、混合部Ｐ１は、給水弁１４とノズル部１５との間に設けられる。これにより、給水弁１４内を洗剤が通過するといったことを避けることができる。給水弁１４の詰まり等を抑えることができる。
【００２２】
なお、上記実施形態は、以下のように変更してもよい。
【００２３】
・上記実施形態では、カートリッジを採用し、ミストサウナ装置１０の本体ケース１１から着脱可能な構成としたが、これに限らない。例えば、ミストサウナ装置１０（本体ケース１１）内に着脱不能なタンクを備えそのタンクに対して直接人体用の洗剤を流入可能な構成を採用してもよい。
【００２４】
・上記実施形態では、混合部を流路Ｃ２と流路Ｃ３との合流地点に混合部Ｐ１を設定したが、これに限らない。例えば流路Ｃ１やそれよりも上流側において流路Ｃ３を接続して給水弁１４よりも上流側で混合部Ｐ１を設定してもよい。
【００２５】
・上記実施形態並びに各変形例は適宜組み合わせてもよい。
【００２６】
次に、上記実施形態及び別例から把握できる技術的思想を以下に付記として追記する。
【００２７】
（付記１）給水部によって供給された水を加温する水加温部と、該水加温部で加温された水をミスト噴霧する噴霧部と、前記給水部よりも下流側であって前記噴霧部までの流路中において人体用の洗剤を前記水に対して混合する混合部とを備えたことを特徴とするミストサウナ装置。
【００２８】
（付記２）前記水加温部と前記噴霧部との間には、前記噴霧部に対する給水タイミングを調整する給水弁を有し、
前記混合部は、前記給水弁と前記噴霧部との間に設けられることを特徴とする付記１に記載のミストサウナ装置。
【産業上の利用可能性】
【００２９】
以上のように、本発明にかかるミストサウナ装置は、給水された水に対して人体用の洗浄剤を混合させることで洗浄効果が高められるため、人体用の洗浄を行う他の装置においても適用可能である。
【符号の説明】
【００３０】
１    給水部
２    温水器
１０  ミストサウナ装置
１１  本体ケース
１２  フィルタ
１３  加温ユニット（水加温部）
１４  給水弁
１５  ノズル部（噴霧部）
１６  カートリッジ
１７  ポンプ
１８  制御部
２０  操作器
Ｐ１  混合部
【図１】
0006515341.tif 000002